(57)【特許請求の範囲】
【請求項１】
並べて配置された弱電用配線器具及び強電用配線器具を囲む取付枠の裏側に配置される絶縁セパレーターであって、
前記絶縁セパレーターは、
前記取付枠に引っ掛け可能な掛止部と、
前記掛止部に繋がった電気絶縁性を有する絶縁部とを備え、
前記絶縁部は、前記取付枠の裏側の領域を弱電領域と強電領域とに仕切り、
前記掛止部は、前記掛止部が前記取付枠に引っ掛けられて固定された固定状態において、前記取付枠の表側に露出するように構成され、
前記絶縁セパレーターは、
電気絶縁性を有する枠部をさらに備え、
前記掛止部は、前記枠部から前記枠部の表側に向かって突出し、
前記絶縁部は、前記枠部から前記枠部の裏側に向かって突出した板状に形成され、
前記枠部は、前記固定状態において、前記枠部の内側に前記弱電用配線器具及び前記強電用配線器具のうちの一方のみが収まるような形状を有することを特徴とする絶縁セパレーター。
【請求項２】
前記取付枠は、
前記弱電用配線器具が内側に配置される第１枠体と、
前記第１枠体と並べて配置されて前記強電用配線器具が内側に配置される第２枠体とを有することを特徴とする請求項１に記載の絶縁セパレーター。
【請求項３】
前記掛止部は、前記固定状態において、前記第１枠体及び前記第２枠体のうちの一方にのみ引っ掛けられることを特徴とする請求項２に記載の絶縁セパレーター。
【請求項４】
並べて配置された弱電用配線器具及び強電用配線器具を囲む取付枠の裏側に配置される絶縁セパレーターであって、
前記絶縁セパレーターは、
前記取付枠に引っ掛け可能な掛止部と、
前記掛止部に繋がった電気絶縁性を有する絶縁部とを備え、
前記絶縁部は、前記取付枠の裏側の領域を弱電領域と強電領域とに仕切り、
前記掛止部は、前記掛止部が前記取付枠に引っ掛けられて固定された固定状態において、前記取付枠の表側に露出するように構成され、
前記取付枠は、
前記弱電用配線器具が内側に配置される第１枠体と、
前記第１枠体と並べて配置されて前記強電用配線器具が内側に配置される第２枠体とを有し、
前記掛止部は、前記固定状態において、前記第１枠体及び前記第２枠体のうちの一方にのみ引っ掛けられ、
前記掛止部は、前記取付枠の表裏方向に見て点対称形状であることを特徴とすることを絶縁セパレーター。
【請求項５】
電気絶縁性を有する枠部をさらに備え、
前記掛止部は、前記枠部から前記枠部の表側に向かって突出し、
前記絶縁部は、前記枠部から前記枠部の裏側に向かって突出した板状に形成され、
前記枠部は、前記固定状態において、前記枠部の内側に前記弱電用配線器具及び前記強電用配線器具のうちの一方のみが収まるような形状を有することを特徴とする請求項４に記載の絶縁セパレーター。
【請求項６】
前記取付枠は、
前記取付枠との間に造営材を挟み込むはさみ金具を引っ掛け可能な固定部として、前記取付枠の表裏方向に貫通した開口部を備え、
前記掛止部は、前記開口部に引っ掛けられ、前記開口部を通じて前記取付枠の表側に露出することを特徴とする請求項１〜５のいずれか１項に記載の絶縁セパレーター。
【請求項７】
前記絶縁部は、
前記弱電用配線器具と前記強電用配線器具との並ぶ方向に見て、前記取付枠の表裏方向と交差する方向に延びた、他部よりも破断しやすい破断部を有したことを特徴とする請求項１〜６のいずれか１項に記載の絶縁セパレーター。
【請求項８】
取付枠で囲まれる弱電用配線器具及び強電用配線器具と、
請求項１〜７のいずれか１項に記載の絶縁セパレーターとを具備したことを特徴とする配線装置。
【請求項９】
前記取付枠と、
前記取付枠に対して引っ掛けにより脱着可能に取り付けられる化粧プレートとをさらに具備し、
前記化粧プレートは、前記取付枠の表側に露出した前記掛止部を含めて前記取付枠を表側から覆うことを特徴とする請求項８に記載の配線装置。
【発明の詳細な説明】
【技術分野】
【０００１】
本発明は、絶縁セパレーター及び配線装置に関する。
【背景技術】
【０００２】
特許文献１には、配線器具ボックス内に配線された強電配線と弱電配線とを絶縁する絶縁セパレーターが開示されている。この絶縁セパレーターは、造営材に埋め込まれる配線器具ボックス内に装着される。配線器具ボックスには、配線器具を囲む取付枠が取り付けられる。
【先行技術文献】
【特許文献】
【０００３】
【特許文献１】実開昭６１−９６７１６号公報
【発明の概要】
【発明が解決しようとする課題】
【０００４】
ところで、特許文献１の絶縁セパレーターは、配線器具ボックスに取り付けられた取付枠と取付枠の内側に位置する配線器具とで覆われる。このため、配線器具ボックスに固定された絶縁セパレーターの固定状態を確認するには、絶縁セパレーターを覆う取付枠を取り外す必要があり、手間を要する。
【０００５】
本発明は前記事情に鑑みてなされたものであって、固定状態を容易に確認できる絶縁セパレーター及び配線装置を提供することを目的とする。
【課題を解決するための手段】
【０００６】
前記目的を達成するために本発明の絶縁セパレーターは、並べて配置された弱電用配線器具及び強電用配線器具を囲む取付枠の裏側に配置される絶縁セパレーターであって、前記絶縁セパレーターは、前記取付枠に引っ掛け可能な掛止部と、前記掛止部に繋がった電気絶縁性を有する絶縁部とを備え、前記絶縁部は、前記取付枠の裏側の領域を弱電領域と強電領域とに仕切り、前記掛止部は、前記掛止部が前記取付枠に引っ掛けられて固定された固定状態において、前記取付枠の表側に露出するように構成され、前記絶縁セパレーターは、電気絶縁性を有する枠部をさらに備え、前記掛止部は、前記枠部から前記枠部の表側に向かって突出し、前記絶縁部は、前記枠部から前記枠部の裏側に向かって突出した板状に形成され、前記枠部は、前記固定状態において、前記枠部の内側に前記弱電用配線器具及び前記強電用配線器具のうちの一方のみが収まるような形状を有することを特徴とする。
また、本発明の別の絶縁セパレーターは、並べて配置された弱電用配線器具及び強電用配線器具を囲む取付枠の裏側に配置される絶縁セパレーターであって、前記絶縁セパレーターは、前記取付枠に引っ掛け可能な掛止部と、前記掛止部に繋がった電気絶縁性を有する絶縁部とを備え、前記絶縁部は、前記取付枠の裏側の領域を弱電領域と強電領域とに仕切り、前記掛止部は、前記掛止部が前記取付枠に引っ掛けられて固定された固定状態において、前記取付枠の表側に露出するように構成され、前記取付枠は、前記弱電用配線器具が内側に配置される第１枠体と、前記第１枠体と並べて配置されて前記強電用配線器具が内側に配置される第２枠体とを有し、前記掛止部は、前記固定状態において、前記第１枠体及び前記第２枠体のうちの一方にのみ引っ掛けられ、前記掛止部は、前記取付枠の表裏方向に見て点対称形状であることを特徴とする。
【０００７】
また、本発明の配線装置は、取付枠で囲まれる弱電用配線器具及び強電用配線器具と、前記絶縁セパレーターとを具備したことを特徴とする。
【発明の効果】
【０００８】
本発明に係る絶縁セパレーター及び配線装置は、絶縁セパレーターの固定状態を容易に確認できる。
【図面の簡単な説明】
【０００９】
【図１】図１は、本実施形態の配線装置の斜視図である。
【図２】図２は、前記配線装置の分解斜視図である。
【図３】図３は、前記配線装置を壁に施工した状態を示した断面図である。
【図４】図４は、前記配線装置の化粧カバーの図示を省略した正面図である。
【図５】図５は、前記配線装置の化粧カバー、継枠、及びボックスの図示を省略した斜視図である。
【図６】図６は、前記配線装置の水平断面図である。
【図７】図７は、前記配線装置の絶縁セパレーターを第２枠体に取り付けた状態を示した水平断面図である。
【図８】図８は、前記配線装置をはさみ金具を用いて壁に固定した状態を示した断面図である。
【図９】図９は、他例の配線装置の断面図である。
【発明を実施するための形態】
【００１０】
以下では、絶縁セパレーター及び配線装置について説明し、詳しくは取付枠の裏側の領域を弱電領域と強電領域とに仕切る絶縁セパレーター、及びこの絶縁セパレーターを具備する配線装置について説明する。
【００１１】
図１には、本実施形態の絶縁セパレーター２を具備した配線装置１が示されている。本実施形態の配線装置１は、図２に示されるように、絶縁セパレーター２に加えて、ボックス３、取付枠４、複数の配線器具６１，６２、継枠７、及び化粧プレート８を具備している。
【００１２】
本実施形態の配線装置１は、図３に示されるように、壁９に埋め込まれて施工される埋込型配線装置である。このように配線装置１が壁９に施工されたとき、複数の配線器具６１，６２は、壁９の表側に露出する。
【００１３】
以下では、配線装置１が壁９に設置された状態を基準にした方向を用いて説明する。具体的には、壁９の高さ方向を上下方向とし、壁９の厚み方向を前後方向とする。また、壁９の表側を前方、配線装置１を前方から見たときの左側を左方とする（図１参照）。
【００１４】
本実施形態のボックス３は、金属製であって、図２に示される、ボックス本体３０とボックス枠３１とで構成される。
【００１５】
ボックス本体３０は、前方に開口した矩形箱状に形成されている。ボックス枠３１は、前方から見て矩形の枠状に形成されている。ボックス枠３１は、ボックス本体３０の前端周縁部に、複数のねじ１３（図１参照）により取り付けられる。ボックス枠３１は、ボックス本体３０の前端周縁部から内方に向かって突出する。ボックス枠３１は、ボックス３の前端部を構成する。
【００１６】
ボックス枠３１には、ボックス枠３１の内周縁部で構成された開口部３２が形成されている。以下、この開口部３２をボックス開口部３２という。ボックス開口部３２は、前方から見て矩形状の孔であり、ボックス枠３１を前後方向に貫通している。ボックス枠３１の内周縁部には、取付枠４をボックス３に取り付けるための複数のねじ穴３３が形成されている。
【００１７】
ボックス３は、図３に示されるように、壁９に埋め込まれて設置される。このとき、ボックス開口部３２と複数のねじ穴３３（図２参照）は、壁９の前方に露出する。本実施形態の壁９は、コンクリート製である。
【００１８】
ボックス３の前方には、取付枠４と、取付枠４で保持された複数の配線器具６１，６２が配置される。図２に示されるように、取付枠４は、隣接して左右方向に並んだ複数の枠体４１，４２で構成されている。各枠体４１，４２は、同大同形である。すなわち、複数の枠体４１，４２のそれぞれには、共通の枠体が用いられる。本実施形態の取付枠４は、複数の枠体４１，４２として、第１枠体４１と第２枠体４２とを有している。
【００１９】
各枠体４１，４２は、前後方向（取付枠４の表裏方向）に見て上下方向に長い矩形の枠状に形成されている。図４に示されるように、各枠体４１，４２には、枠体４１，４２の内周縁部で構成された、嵌込孔４３が形成されている。嵌込孔４３は、前後方向に見て上下方向に長い矩形状の孔であり、枠体４１，４２を前後方向に貫通している。
【００２０】
図５に示されるように、各枠体４１，４２には、嵌込孔４３の周縁部から後方に突出した嵌込筒部４４が形成されている。嵌込筒部４４は前後方向に見て、嵌込孔４３（図４参照）よりも一回り大きな矩形の筒状に形成されている。
【００２１】
図４及び図５に示されるように、各枠体４１，４２には、配線器具６１，６２が取り付けられる。各配線器具６１，６２は、前部が嵌込孔４３に嵌め込まれ、後部が嵌込筒部４４に嵌め込まれて、対応する枠体４１，４２に固定される。各枠体４１，４２に取り付けられた配線器具６１，６２は、嵌込孔４３の略全体を塞ぐ。このように複数の枠体４１，４２に取り付けられた複数の配線器具６１，６２は、取付枠４によって囲まれて取付枠４の内側に配置される。
【００２２】
図４に示されるように、配線装置１は、複数の配線器具６１，６２として、弱電用配線器具６１と強電用配線器具６２とを具備している。
【００２３】
弱電用配線器具６１は、情報の伝達等に用いられる弱電配線が接続される配線器具であり、例えば、ＬＡＮ（Local Area Network）ケーブルが接続されるモジュラージャックや、電話用のモジュラージャック等で構成される。本実施形態の弱電用配線器具６１は、複数の器具（モジュラージャック）で構成されている。
【００２４】
強電用配線器具６２は、動力源へのエネルギーの伝達等に用いられる強電配線が接続される配線器具であり、例えばアウトレット（電源コンセント）や、スイッチで構成される。本実施形態の強電用配線器具６２は、複数のコンセント口を有する器具（アウトレット）で構成されている。
【００２５】
各枠体４１，４２には、弱電用配線器具６１及び強電用配線器具６２のうちの一方の配線器具のみが取り付けられる。本実施形態では、第１枠体４１に弱電用配線器具６１が取り付けられ、第２枠体４２に強電用配線器具６２が取り付けられる。
【００２６】
図４及び図５に示されるように、取付枠４は、絶縁セパレーター２が引っ掛けられる固定部４５を備えている。本実施形態の固定部４５は、取付枠４を前後方向に貫通した開口部４６で構成されている。以下、この開口部４６を固定用開口部４６という。
【００２７】
固定用開口部４６は、第１枠体４１に形成された第１開口部５１と、第２枠体４２に形成された第２開口部５２とで構成されている。
【００２８】
第１開口部５１は、第１枠体４１に形成された複数の孔５３で構成され、第２開口部５２は、第２枠体４２に形成された複数の孔５３で構成されている。
【００２９】
本実施形態では、各枠体４１，４２の上下両端部のそれぞれに左右方向に離間した一対の孔５３が形成されている。すなわち、各枠体４１，４２には４個ずつ孔５３が形成されており、取付枠４には合計８個の孔５３が形成されている。
【００３０】
各孔５３は、枠体４１，４２を前後方向に貫通している。第１枠体４１の複数の孔５３から構成された第１開口部５１は、左右対称形状であり、前後方向に見て点対称（１８０度回転対称）形状である。また、第２枠体４２の複数の孔５３から構成された第２開口部５２は、左右対称形状であり、前後方向に見て点対称形状である。
【００３１】
図５に示されるように、取付枠４の後方（裏側）には、絶縁セパレーター２が配置される。本実施形態の絶縁セパレーター２は、取付枠４を構成する複数の枠体４１，４２のそれぞれに取り付けることができる。絶縁セパレーター２は、複数の枠体４１，４２のうちの任意の枠体に取り付けられる。本実施形態では、第１枠体４１にのみ絶縁セパレーター２が取り付けられる。
【００３２】
絶縁セパレーター２は、例えば塩化ビニル樹脂や、ＡＢＳ（Acrylonitrile  Butadiene  Styrene）樹脂等の電気絶縁性を有する材料から形成される。
【００３３】
本実施形態の絶縁セパレーター２は、枠部２０を備えている。枠部２０は、前後方向（枠部２０の表裏方向）に見て、左右幅が第１枠体４１と略同じで上下方向に長い矩形の枠状に形成されている。
【００３４】
本実施形態の枠部２０は、前後方向に見て弱電用配線器具６１より一回り大きな枠状に形成されている。枠部２０は、枠部２０の内側に、弱電用配線器具６１を１個だけ収めることができる形状を有している。本実施形態の枠部２０は、強電用配線器具６２を１個だけ収めることもできる。
【００３５】
枠部２０の上端部の左右両端部及び下端部の左右両端部のそれぞれには、前方（枠部２０の表側）に向かって突出した突出部２１が形成されている。各突出部２１は、平面視で、後方（絶縁セパレーター２の裏側）に向かって開口した略Ｕ字状に形成されている。各突出部２１は、後部が枠部２０に接続されている。
【００３６】
絶縁セパレーター２は、掛止部２２をさらに備えている。本実施形態では、枠部２０の各突出部２１から前方に向かって突出した引掛片部２３が形成されており、これら複数の引掛片部２３で掛止部２２が構成されている。すなわち、掛止部２２は、第１枠体４１に形成された孔５３と同数（すなわち、４個）の引掛片部２３で構成されている。
【００３７】
各引掛片部２３は、突出部２１から前方に向かって突出している。各引掛片部２３は、突出部２１（枠部２０）と一体に形成されている。図６に示されるように、各引掛片部２３の前端部には、左右方向において隣り合う他の引掛片部２３に向かって突出した爪部２４が形成されている。複数の引掛片部２３で構成された掛止部２２は、前方から見て点対称形状である（図２参照）。
【００３８】
図６に示されるように、絶縁セパレーター２の各引掛片部２３は、第１枠体４１の対応する孔５３に挿通される。絶縁セパレーター２の各引掛片部２３の爪部２４は、対応する孔５３の縁部の前面に引っ掛けられる。これにより、絶縁セパレーター２は、第１枠体４１に取り付けられる。
【００３９】
このように各引掛片部２３が第１枠体４１に引っ掛けられて固定された固定状態では、絶縁セパレーター２の各引掛片部２３が対応する孔５３の周縁部によって左右方向の移動及び後方への移動が規制される。また、図５に示されるように、絶縁セパレーター２の各突出部２１が、第１枠体４１の後面に沿って配置されて、前方への移動が規制される。また、絶縁セパレーター２の枠部２０の上端部から突出した左右一対の突出部２１が、第１枠体４１の嵌込筒部４４の上面に沿って配置されて、下方への移動が規制される。また、絶縁セパレーター２の枠部２０の下端部から突出した左右一対の突出部２１が、第１枠体４１の嵌込筒部４４の下面に沿って配置されて、上方への移動が規制される。
【００４０】
枠部２０は、各引掛片部２３が第１枠体４１に引っ掛けられて固定された前記固定状態において、弱電用配線器具６１を囲む。また、枠部２０の一部（詳しくは強電用配線器具６２側の一辺を構成する片部２５）は、弱電用配線器具６１と強電用配線器具６２との間に位置する。このため、弱電用配線器具６１と強電用配線器具６２とは、電気絶縁性を有する枠部２０により、電気的に絶縁される。
【００４１】
絶縁セパレーター２は、絶縁部２６をさらに備えている。絶縁部２６は、枠部２０の左端部から後方（絶縁セパレーター２の裏側）に向かって突出している。絶縁部２６は、枠部２０を介して掛止部２２に一体に繋がっている。
【００４２】
絶縁部２６は、厚み方向が左右方向と平行な板状に形成されており、左右方向に見て矩形状である。絶縁部２６の上端部は、枠部２０よりも上方に突出し、絶縁部２６の下端部は、枠部２０よりも下方に突出している。
【００４３】
絶縁部２６は、前記固定状態において、取付枠４に取り付けられた弱電用配線器具６１及び強電用配線器具６２よりも後方に突出する。
【００４４】
取付枠４に取り付けられた弱電用配線器具６１及び強電用配線器具６２のそれぞれの後部には、弱電配線及び強電配線がそれぞれ接続される。
【００４５】
図４に示されるように、各枠体４１，４２の上下両端部のそれぞれには、通孔４７が形成されている。各枠体４１，４２は、各通孔４７に通したねじ１９をボックス３の対応するねじ穴３３（図２参照）にねじ込むことで、ボックス３に取り付けられる。
【００４６】
このように取付枠４がボックス３に取り付けられたとき、取付枠４に取り付けられた絶縁セパレーター２の絶縁部２６は、図６に示されるように、ボックス本体３０の内側に配置される。この絶縁部２６により、取付枠４の裏側に位置するボックス３内の領域は、左右に仕切られる。このように仕切られた２つの領域のうち、弱電用配線器具６１の裏側に位置する一方の領域は、弱電領域１１となり、強電用配線器具６２の裏側に位置する他方の領域は、強電領域１２となる。
【００４７】
弱電領域１１には、弱電用配線器具６１に接続された弱電配線が配置され、強電領域１２には強電用配線器具６２に接続された強電配線が配置される。これら弱電配線と強電配線との間には、絶縁セパレーター２の電気絶縁性を有する絶縁部２６が位置する。このため、絶縁部２６によって弱電配線と強電配線とが電気的に絶縁される。
【００４８】
図３に示されるように、本実施形態の絶縁部２６は、上端部がボックス開口部３２の上縁よりも上方に突出し、下端部がボックス開口部３２の下縁よりも下方に突出する。これにより、ボックス３の内部は、絶縁部２６により、上下方向の略全長に亘って仕切られる。
【００４９】
取付枠４の前方には、図２に示される継枠７が配置される。継枠７は、前方から見て矩形の枠状に形成されている。継枠７の上下両端部の左右には、それぞれ前後方向に貫通したねじ挿通孔７１が形成されている。取付枠４において各ねじ挿通孔７１に対応する箇所には、ねじ孔５４が形成されている。
【００５０】
継枠７の複数のねじ挿通孔７１には、複数のねじ１４（図４参照）が挿通される。これら複数のねじ１４は、取付枠４の複数のねじ孔５４にねじ込まれる。これにより、継枠７は、取付枠４（各枠体４１，４２）に取り付けられる。
【００５１】
このように継枠７が取付枠４に取り付けられたとき、継枠７は、取付枠４の周縁部の前面を覆う。
【００５２】
図２に示されるように、継枠７は、化粧プレート８を引っ掛けにより取り付けるためのプレート固定部７２を有している。本実施形態のプレート固定部７２は、継枠７の周方向に並べて形成された複数の引掛孔７３で構成されている。
【００５３】
継枠７の前方には化粧プレート８が配置される。化粧プレート８において、弱電用配線器具６１及び強電用配線器具６２のそれぞれに対応する箇所には、前後方向に貫通した窓孔８０が形成されている。
【００５４】
化粧プレート８は、プレート固定部７２に引っ掛け可能な引掛部８１を有している。本実施形態では、化粧プレート８において各引掛孔７３に対応する箇所に掛止突起８２が形成されており、これら複数の掛止突起８２により引掛部８１が構成されている。
【００５５】
化粧プレート８の各掛止突起８２は、継枠７の対応する引掛孔７３に脱着可能に引っ掛けられる。これにより、化粧プレート８は、取付枠４に対して脱着可能に取り付けられる。すなわち、化粧プレート８は、継枠７を利用することで、取付枠４に対して引っ掛けにより脱着可能に取り付けられている。
【００５６】
このように化粧プレート８が継枠７に取り付けられたとき、図１に示されるように、化粧プレート８の各窓孔８０には、対応する配線器具６１，６２が嵌まり込み、各配線器具６１，６２が化粧プレート８の前側に露出する。また、化粧プレート８により、継枠７（図２参照）と、継枠７の内側から露出した取付枠４（図２参照）とが前側から覆われる。
【００５７】
配線装置１の施工は、例えば以下のように行われる。まず、作業者は、図３に示されるように、ボックス３が埋め込まれた壁９を形成する。この壁９は、例えばボックス３が配置された型枠内にコンクリートスラリーを流し込み、このスラリーを養生して形成される。なお、コンクリートスラリーの流し込みを行う前には、ボックス本体３０の周壁部や奥壁部に形成された孔を通して弱電配線及び強電配線がボックス本体３０内に挿入される。
【００５８】
次に作業者は、図２に示されるように第１枠体４１に弱電用配線器具６１と絶縁セパレーター２を取り付け、弱電用配線器具６１に弱電配線を接続する。そして、絶縁セパレーター２の絶縁部２６を、ボックス開口部３２からボックス本体３０内に挿入し、この後、第１枠体４１をボックス３に取り付ける。
【００５９】
第１枠体４１に弱電用配線器具６１を取り付けるには、作業者は、弱電用配線器具６１を第１枠体４１の嵌込筒部４４（図５参照）及び嵌込孔４３に後方（第１枠体４１の裏側）から嵌め込む。
【００６０】
第１枠体４１に絶縁セパレーター２を取り付けるには、作業者は、図５に示されるように、絶縁セパレーター２の各引掛片部２３を、第１枠体４１の対応する孔５３に後方（第１枠体４１の裏側）から挿入する。そして、作業者は、各引掛片部２３の爪部２４を第１枠体４１の孔５３の縁部に引っ掛ける。
【００６１】
第１枠体４１を図２に示すボックス３に取り付けるには、第１枠体４１の各通孔４７に前側からねじ１９を挿入し、これらねじ１９をボックス３の対応するねじ穴３３にねじ込む。
【００６２】
次に作業者は、第２枠体４２に強電用配線器具６２を取り付け、強電用配線器具６２に強電配線を接続し、この後、第２枠体４２をボックス３に取り付ける。
【００６３】
強電用配線器具６２を第２枠体４２に取り付ける方法は、弱電用配線器具６１を第１枠体４１に取り付ける方法と同じである。また、第２枠体４２をボックス３に取り付ける方法も、第１枠体４１をボックス３に取り付ける方法と同じである。
【００６４】
次に作業者は、継枠７を取付枠４に取り付ける。継枠７を取付枠４に取り付けるには、作業者は、継枠７を取付枠４の前面に沿って配置し、継枠７の複数のねじ挿通孔７１に前方から複数のねじ１４（図４参照）を通し、これら複数のねじ１４を、取付枠４の複数のねじ孔５４にねじ込む。
【００６５】
次に作業者は、化粧プレート８を継枠７の前面に沿って配置し、化粧プレート８の複数の掛止突起８２を、継枠７の複数の引掛孔７３に引っ掛けて、化粧プレート８を継枠７に取り付ける。
【００６６】
このように壁９に施工された配線装置１の化粧プレート８は、複数の掛止突起８２を継枠７の複数の引掛孔７３から取り外すことで、継枠７（取付枠４）から容易に取り外すことができる。
【００６７】
化粧プレート８が継枠７から取り外されたとき、取付枠４の各孔５３は、図４に示されるように、継枠７の内側から前方に露出する。また、絶縁セパレーター２の各引掛片部２３の爪部２４（固定部４５に引っ掛けられる部分）も、引っ掛けられた孔５３を通じて前方に露出する。このため、壁９の前方に居る人は、取付枠４の複数の孔５３を通して、これら複数の孔５３に引っ掛けられた絶縁セパレーター２の複数の爪部２４を視認できる。
【００６８】
また、本実施形態の絶縁セパレーター２の掛止部２２は、前方から見て点対称形状である（図２参照）。このため、絶縁セパレーター２を前方から見て１８０度反転させた姿勢にして、図７に示されるように、各引掛片部２３を第２枠体４２の対応する孔５３の縁部に引っ掛けることで、第２枠体４２に取り付けることもできる。
【００６９】
このように絶縁セパレーター２が第２枠体４２に取り付けられたときにも、絶縁部２６は、取付枠４の裏側に位置するボックス３内の領域を、弱電領域１１と強電領域１２との２つの領域に仕切る。また、この場合、枠部２０は強電用配線器具６２を囲み、枠部２０の周方向の一部（詳しくは弱電用配線器具６１側の一辺を構成する片部２５）が強電用配線器具６２と弱電用配線器具６１の間に位置する。したがって、この場合も強電用配線器具６２と弱電用配線器具６１とは、枠部２０によって電気的に絶縁される。
【００７０】
ところで、図３に示される壁９の表面からボックス３の奥面（ボックス本体３０の奥部の前面）までの距離Ｌは、使用するボックス３の前後長さ等に応じて変化する。このため、例えば前後長さが短いボックス３を用いた場合等には、絶縁部２６の後端がボックス３の奥面に接触して、絶縁部２６が折れ曲がったり、絶縁部２６がボックス３内に収まらなかったりする可能性がある。
【００７１】
ここで、本実施形態の絶縁部２６は、距離Ｌに合わせて前後方向に複数分割できるように構成されている。具体的に本実施形態の絶縁部２６は、上下方向に延びて、他部よりも破断しやすい破断部２７を有している。
【００７２】
本実施形態の絶縁部２６は、前後方向に並んだ複数の破断部２７を有している。各破断部２７は、絶縁部２６の上下方向の過半に亘って形成された複数の長孔２８で構成されている。
【００７３】
破断部２７を利用して絶縁部２６を分割するには、例えば、絶縁部２６を任意の破断部２７で折り曲げる。このようにすることで、絶縁部２６を破断部２７で破断させ、絶縁部２６の破断された破断部２７よりも後方の部分を折り取り、絶縁部２６の前後長さを調整できる。
【００７４】
取付枠４の固定部４５は、図８に示されるように、はさみ金具１６を引っ掛け可能な固定部を兼ねている。
【００７５】
はさみ金具１６は、例えば図８に示されるように、ボックス３を省いた配線装置１を石膏ボード等の壁９０に施工するときに用いられる。この場合、はさみ金具１６は、各枠体４１，４２の上下両端部に取り付けられる。
【００７６】
はさみ金具１６は、はさみ部１７と、はさみ部１７から前方に突出した係止部１８とを有している。はさみ部１７は壁９０の裏面に沿って配置され、壁９０に引っ掛けられる。係止部１８は、枠体４１，４２の上端部又は下端部に左右に並べて設けられた一対の孔５３に引っ掛けられる。
【００７７】
はさみ金具１６には、枠体４１，４２に前方から通されたねじ１５がねじ込まれる。これにより、枠体４１，４２とはさみ金具１６のはさみ部１７とで、壁９０が前後方向に挟まれて、枠体４１，４２が壁９０に固定される。
【００７８】
このように本実施形態にあっては、絶縁セパレーター２が引っ掛けられる固定部４５が、はさみ金具１６を引っ掛けるための固定部として利用される。
【００７９】
以上説明した本実施形態の絶縁セパレーター２は、以下の構成を有する。絶縁セパレーター２は、並べて配置された弱電用配線器具６１及び強電用配線器具６２を囲む取付枠４の裏側に配置される。絶縁セパレーター２は、取付枠４に引っ掛け可能な掛止部２２と、掛止部２２に繋がった電気絶縁性を有する絶縁部２６とを備える。絶縁部２６は、取付枠４の裏側の領域を弱電領域１１と強電領域１２とに仕切る。掛止部２２は、掛止部２２が取付枠４に引っ掛けられて固定された固定状態において、取付枠４の表側に露出するように構成される。
【００８０】
この構成を有する絶縁セパレーター２は、掛止部２２が取付枠４に引っ掛けられて取付枠４に固定されたとき、この取付枠４に引っ掛けられた状態の掛止部２２が、取付枠４の表側に露出する。このため、取付枠４がボックス３に取り付けられた状態で、取付枠４に引っ掛けられた掛止部２２を容易に視認できる。したがって、取付枠４に引っ掛けて固定された絶縁セパレーター２の固定状態を容易に確認できる。
【００８１】
また、本実施形態の絶縁セパレーター２は、以下の付加的な構成を有する。絶縁セパレーター２は、表裏方向に見て枠状で電気絶縁性を有する枠部２０をさらに備える。掛止部２２は、枠部２０から枠部２０の表側に向かって突出する。絶縁部２６は、枠部２０から枠部２０の裏側に向かって突出した板状に形成される。枠部２０は、前記固定状態において、枠部２０の内側に弱電用配線器具６１及び強電用配線器具６２のうちの一方のみが収まるような形状を有する。
【００８２】
この構成を有する絶縁セパレーター２は、枠部２０により剛性が高まり、変形や破損が生じ難い。また、枠部２０の内側に弱電用配線器具６１又は強電用配線器具６２を収めることができ、この場合、枠部２０により弱電用配線器具６１と弱電用配線器具６１との間を電気的に絶縁できる。
【００８３】
また、本実施形態の絶縁セパレーター２は、以下の付加的な構成を有する。取付枠４は、弱電用配線器具６１が内側に配置される第１枠体４１と、第１枠体４１と並べて配置されて強電用配線器具６２が内側に配置される第２枠体４２とを有する。
【００８４】
この構成を有する絶縁セパレーター２は、絶縁部２６により、第１枠体４１と第２枠体４２とを有する取付枠４の裏側の領域を弱電領域１１と強電領域１２とに仕切ることができる。
【００８５】
また、本実施形態の絶縁セパレーター２は、以下の付加的な構成を有する。掛止部２２は、前記固定状態において、第１枠体４１及び第２枠体４２のうちの一方にのみ引っ掛けられる。
【００８６】
この構成を有する絶縁セパレーター２は、第１枠体４１及び第２枠体４２のうちの絶縁セパレーター２が引っ掛けられて取り付けられた枠体（本実施形態では第１枠体４１）を、他方の枠体（本実施形態では第２枠体４２）の施工後に施工したり、他方の枠体の施工前に施工したりできる。すなわち、第１枠体４１を施工する時期と第２枠体４２を施工する時期をずらすことができる。このため、例えば弱電用配線器具６１を施工する業者と、強電用配線器具６２を施工する業者とが異なる場合等には、特に有利である。
【００８７】
また、本実施形態の絶縁セパレーター２は、以下の付加的な構成を有する。掛止部２２は、取付枠４の表裏方向に見て点対称形状である。
【００８８】
この構成を有する絶縁セパレーター２は、絶縁セパレーター２を１８０度反転させた姿勢にして、掛止部２２を取付枠４に取り付けることが可能になる。このため、絶縁部２６によって弱電領域１１と強電領域１２とを仕切る位置を変更できる。
【００８９】
また、本実施形態の絶縁セパレーター２は、以下の付加的な構成を有する。取付枠４は、取付枠４との間に造営材（壁９０）を挟み込むはさみ金具１６を引っ掛け可能な固定部４５として、取付枠４の表裏方向に貫通した開口部４６を備える。掛止部２２は、開口部４６に引っ掛けられ、開口部４６を通じて取付枠４の表側に露出する。
【００９０】
この構成を有する絶縁セパレーター２は、はさみ金具１６を引っ掛けるための固定部４５を利用して、取付枠４に取り付けることができる。また、掛止部２２を開口部４６を通じて取付枠４の表側に露出させることができる。
【００９１】
また、本実施形態の絶縁セパレーター２は、以下の付加的な構成を有する。絶縁部２６は、弱電用配線器具６１と強電用配線器具６２との並ぶ方向（左右方向）に見て、取付枠４の表裏方向と交差する方向に延びた、他部よりも破断しやすい破断部２７を有する。
【００９２】
この構成を有する絶縁セパレーター２は、絶縁部２６を破断部２７で破断して、絶縁部２６を表裏方向に容易に分割できる。このため、取付枠４の裏側に配置される、ボックス３等の他の部材に接触しないように、絶縁部２６の表裏方向の長さを容易に調節できる。
【００９３】
また、本実施形態の配線装置１は、以下の構成を有する。配線装置１は、取付枠４で囲まれる弱電用配線器具６１及び強電用配線器具６２と、取付枠４の裏側に配置される絶縁セパレーター２とを具備する。絶縁セパレーター２は、取付枠４に引っ掛け可能な掛止部２２と、掛止部２２に繋がった電気絶縁性を有する絶縁部２６とを備える。絶縁部２６は、取付枠４の裏側の領域を弱電領域１１と強電領域１２とに仕切る。掛止部２２は、掛止部２２が取付枠４に引っ掛けられて固定された固定状態において、取付枠４の表側に露出するように構成される。
【００９４】
この構成を有する配線装置１にあっては、掛止部２２が取付枠４に引っ掛けられたとき、この取付枠４に引っ掛けられた状態の掛止部２２が、取付枠４の表側に露出する。このため、絶縁セパレーター２の固定状態を容易に確認できる。
【００９５】
また、本実施形態の配線装置１は、以下の付加的な構成を有する。取付枠４と、取付枠４に取り付けられる化粧プレート８とをさらに具備する。取付枠４は、取付枠４の表裏方向に貫通した開口部４６を備える。掛止部２２は、取付枠４の開口部４６に引っ掛けられる。掛止部２２は、前記固定状態において開口部４６を通じて取付枠４の表側に露出する。化粧プレート８は、取付枠４に対して引っ掛けにより脱着可能に取り付けられる。化粧プレート８は、開口部４６から露出した掛止部２２を含めて取付枠４を表側から覆う。
【００９６】
この構成を有する配線装置１は、絶縁セパレーター２の掛止部２２が、取付枠４の開口部４６を通して取付枠４の表側に露出する。このため、化粧プレート８の取付枠４に対する引っ掛けを外して、化粧プレート８を取付枠４から取り外すだけで、取付枠４の開口部４６に引っ掛けられた掛止部２２を視認できる。したがって、取付枠４に引っ掛けて固定された絶縁セパレーター２の固定状態を容易に確認できる。
【００９７】
なお、本実施形態の配線装置１のボックス３は金属製であるが、例えば合成樹脂等の金属以外の材料から形成されてもよいし、金属材を含む合成樹脂等から形成されてもよい。
【００９８】
また、ボックス３は、壁９に埋め込まれた状態で設置されるボックス３に制限されず、例えば柱等に固定されて壁の裏面に沿って配置されるボックスであってもよい。この場合、ボックス開口部３２は、壁に形成された貫通孔を介して壁の表側に露出する。また、配線装置１のボックス３は、省略可能である。この場合は、例えば取付枠をはさみ金具等の固定具を用いて壁に固定することで、配線装置が壁に固定される。
【００９９】
また、本実施形態の取付枠４は、第１枠体４１と第２枠体４２とで構成されているが、１つの枠体で構成されてもよいし、３つ以上の枠体で構成されてもよい。また、本実施形態の配線器具６は、取付枠４と別体であるが、取付枠４と一体に形成されてもよい。
【０１００】
また、本実施形態の取付枠４の固定部４５は、８個の孔５３で構成されているが、８未満又は９以上の孔で構成されてもよい。また、固定部４５は、一又は複数の切欠で構成されてもよい。
【０１０１】
また、本実施形態の弱電用配線器具６１は、複数の器具（モジュラージャック）で構成されているが、１つの器具で構成されてもよい。また、本実施形態の強電用配線器具６２は、１つの器具（アウトレット）で構成されているが、複数の器具で構成されてもよい。
【０１０２】
また、本実施形態の配線装置１は、２つの配線器具６１，６２を具備しているが、少なくとも弱電用配線器具と強電用配線器具とを具備するのであれば、３以上の配線器具を具備してもよい。
【０１０３】
また、絶縁部２６の上下長さは制限されず、例えば図９に示されるように、枠部２０の上下長さと略同じ上下長さであってもよい。
【０１０４】
また、本実施形態の絶縁セパレーター２は、第１枠体４１にのみ取り付けられている。しかし、絶縁セパレーター２は、取付枠４を構成する複数の枠体４１，４２のうち、少なくとも１つ以上の枠体に取り付けられればよく、例えば第２枠体４２にのみ取り付けられてもよい。
【０１０５】
また、本実施形態の破断部２７は複数の長孔２８で構成されているが、１つの長孔で構成されてもよい。また、破断部２７は、上下方向に並ぶ複数の薄肉部等で構成されてもよい。また、絶縁部２６は、破断部２７を１つだけ有してもよいし、破断部２７を有さなくてもよい。また、破断部２７の延びる方向は、左右方向に見て前後方向と交差する方向であればよく、上下方向に対して傾斜していてもよい。
【０１０６】
また、配線装置１の継枠７は省略可能である。この場合、化粧プレート８は、取付枠４に直接引っ掛けられて、取付枠４に脱着可能に取り付けられる。
【０１０７】
また、配線装置１が施工される壁９は、コンクリート製に限られず、例えば石膏ボードであってもよい。また、本実施形態の配線装置１は、壁９に設置される配線装置１であるが、床や天井等、壁以外の造営材に設置される配線装置であってもよい。
【０１０８】
また、本実施形態では、弱電用配線器具６１と絶縁セパレーター２を取り付けた第１枠体４１をボックス３に取り付けた後、強電用配線器具６２を取り付けた第２枠体４２をボックス３に取り付けている。しかし、強電用配線器具６２を取り付けた第２枠体４２をボックス３に取り付けた後、弱電用配線器具６１と絶縁セパレーター２を取り付けた第１枠体４１をボックス３に取り付けてもよい。
【０１０９】
また、この他、本実施形態の絶縁セパレーター２及び配線装置１は、発明の趣旨を逸脱しない範囲で適宜設計変更可能である。
【符号の説明】
【０１１０】
１  配線装置
１１  弱電領域
１２  強電領域
１６  はさみ金具
２  絶縁セパレーター      
２０  枠部
２２  掛止部
２６  絶縁部
２７  破断部
４  取付枠  
４１  第１枠体
４２  第２枠体
４５  固定部
４６  固定用開口部
６１  弱電用配線器具
６２  強電用配線器具
８  化粧プレート
９０  壁（造営材）
【図１】
0006507452.tif 000002
【図２】
0006507452.tif 000003
【図３】
0006507452.tif 000004
【図４】
0006507452.tif 000005
【図５】
0006507452.tif 000006
【図６】
0006507452.tif 000007
【図７】
0006507452.tif 000008
【図８】
0006507452.tif 000009
【図９】
0006507452.tif 000010